【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
医療デバイスのためのハンドルであって、前記ハンドルは、
近位区画であって、前記近位区画は、前記近位区画を通して縦方向に延在する近位管腔を画定し、前記近位管腔は、前記近位管腔の中に内視鏡的医療デバイスを受け取るためのサイズおよび形状を有している、近位区画と、
前記近位区画の遠位部分内に受け取られる中間区画であって、前記中間区画は、前記近位区画の内径より小さい外径を有し、前記中間区画を通して延在する中間管腔を画定し、前記中間管腔は、前記近位管腔に対して開いている、中間区画と、
前記中間区画の遠位部分内に受け取られる遠位区画であって、前記遠位区画は、前記遠位区画を通して延在する遠位管腔を画定し、前記遠位管腔は、前記中間管腔に対して開いており、前記遠位区画は、前記中間区画の内径より小さい外径を有している、遠位区画と
を備え、
前記中間区画は、前記遠位管腔の軸に沿って、前記近位、中間、および遠位管腔を通して挿入される内視鏡的医療デバイスの移動を制限する第１の移動制限機構を含み、
前記中間区画は、前記遠位本体部分の遠位端に取り付けられている内視鏡の前進および後退を制限するように構成されている第２の移動制限機構を含んでいる、ハンドル。
【請求項２】
前記第１の移動制限機構は、前記第１の移動制限機構の近位に位置する前記中間区画の一部のみが前記近位区画内に後退可能であるように、前記中間区画の標的部分の上方に摺動可能に位置付けられている、請求項１に記載のハンドル。
【請求項３】
前記第２の移動制限機構は、前記中間区画に対する前記遠位区画の位置を係止する、請求項１に記載のハンドル。
【請求項４】
前記内視鏡的医療デバイスは、針である、請求項１に記載のハンドル。
【請求項５】
前記針は、超音波信号を反響するように構成されている、請求項４に記載のハンドル。
【請求項６】
前記遠位部分は、アタッチメントを含み、前記アタッチメントは、前記ハンドルが搭載されている内視鏡の近位端における対応するアタッチメントを係合するためのサイズおよび形状を有している、請求項１に記載のハンドル。
【請求項７】
前記遠位部分は、前記内視鏡を螺着係合する、請求項６に記載のハンドル。
【請求項８】
前記遠位部分は、ルアーロックを介して、前記内視鏡を係合する、請求項７に記載のハンドル。
【請求項９】
前記遠位管腔は、前記遠位区画内に回転可能に搭載されている延長部材を通して延在し、前記延長部材は、前記内視鏡の作業チャネル中への挿入のためのサイズおよび形状を有し、前記延長部材は、前記延長部材を通して挿入される内視鏡的医療デバイスを前記作業チャネル中へ誘導し、前記延長部材と前記遠位区画との間の相対的回転は、前記遠位区画が前記遠位管腔を回転させることなく前記内視鏡に接続されることを可能にする、請求項６に記載のハンドル。
【請求項１０】
前記内視鏡的医療デバイスは、針である、請求項９に記載のハンドル。
【請求項１１】
前記針は、内視鏡的超音波針である、請求項１０に記載のハンドル。
【請求項１２】
前記近位区画は、前記遠位区画に回転可能に連結され、かつ、前記近位区画の中に搭載されている針に非回転可能に連結するように適合されていることにより、前記近位区画の回転は、前記遠位区画および前記遠位区画に連結されている内視鏡の作業チャネルの内側において、前記近位区画の中に挿入されている針を回転させる、請求項６に記載のハンドル。
【請求項１３】
前記近位管腔の一部は、前記近位管腔を通して挿入される針の形状に楔止され、前記針を前記近位区画に非回転可能に連結する、請求項１２に記載のハンドル。
【請求項１４】
前記中間区画は、調節ロックを備え、前記調節ロックは、第１の構成において、前記遠位区画が前記中間区画を通して縦方向に移動することにより、前記ハンドルの長さを所望の長さに調節することを可能にし、第２の構成において、前記中間および遠位区画を互に対して係止することにより、前記ハンドルの所望の長さを維持する、請求項１に記載のハンドル。
【請求項１５】
生体内で標的手技を行うシステムであって、前記システムは、
近位端を備える針デバイスと、
内視鏡と
を備え、
前記針デバイスの近位端は、前記内視鏡に取り付けられるように構成され、前記針デバイスは、近位本体部分、中心本体部分、および遠位本体部分を有する細長い本体と、前記細長い本体部分を通して延在する管腔とを備え、前記針デバイスの遠位端は、内視鏡の近位端を係合するように構成されており、
針は、前記針デバイスを通して挿入されるように構成されており、
前記近位本体部分は、回転させられることにより、前記管腔および前記針の回転を生じさせるように構成されており、
前記管腔は、前記管腔の回転がトルクを前記内視鏡に与えないように、前記中心本体部分および前記遠位本体部分に対して回転可能である、システム。
【請求項１６】
前記中心本体部分上に位置する作動機構をさらに備え、前記作動機構は、作動されることにより、前記中心本体部分に対する前記遠位本体部分の近位および遠位移動に影響を及ぼすように構成されている、請求項１５に記載のシステム。
【請求項１７】
生体内で手技を行うシステムであって、前記システムは、
近位端を備える内視鏡的医療デバイスハンドルと、
内視鏡と
を備え、
前記内視鏡的医療デバイスハンドルの近位端は、前記内視鏡に取り付けられるように構成され、前記ハンドルは、近位本体部分、中心本体部分、および遠位本体部分を有する細長い本体と、前記細長い本体部分を通して延在する管腔とを備え、前記ハンドルの遠位端は、内視鏡の近位端を係合するように構成されており、
内視鏡的医療デバイスは、前記ハンドルを通して挿入されるように構成されており、
前記近位本体部分は、回転させられることにより、前記管腔および前記内視鏡的医療デバイスを回転させるように構成されており、
前記管腔は、前記管腔の回転がトルクを前記内視鏡に与えないように、前記中心本体部分および前記遠位本体部分に対して回転可能である、システム。
【請求項１８】
前記内視鏡的医療デバイスは、針である、請求項１７に記載のシステム。
【請求項１９】
前記針は、内視鏡的超音波針である、請求項１８に記載のシステム。
【請求項２０】
医療デバイスのための伸縮自在ハンドルであって、前記伸縮自在ハンドルは、
近位区画であって、前記近位区画は、前記近位区画を通して縦方向に延在する近位管腔を画定し、前記近位管腔は、前記近位管腔の中に内視鏡的医療デバイスを受け取るためのサイズおよび形状を有している、近位区画と、
前記近位区画の遠位部分内に受け取られる中間区画であって、前記中間区画は、前記近位区画の内径より小さい外径を有し、前記中間区画を通して延在する中間管腔を画定し、前記中間管腔は、前記近位管腔に対して開いている、中間区画と、
前記中間区画の遠位部分内に受け取られる遠位区画であって、前記遠位区画は、前記遠位区画を通して延在する遠位管腔を画定し、前記遠位管腔は、前記中間管腔に対して開いており、前記遠位区画は、前記中間区画の内径より小さい外径を有している、遠位区画と
を備え、
前記中間区画は、前記近位区画中へおよび前記近位区画から伸縮自在に移動可能であり、
前記遠位区画は、前記中間区画中へおよび前記中間区画から伸縮自在に移動可能であり、
前記中間および遠位区画の近位および遠位移動は、前記近位、中間、および遠位管腔内に受け取られている内視鏡的医療デバイスに伝達されない、伸縮自在ハンドル。
【請求項２１】
前記近位区画中への前記中間区画の移動を制限する第１の移動制限機構をさらに備え、前記第１の移動制限機構は、前記中間区画の外側壁を摩擦係合するように構成されている、請求項２０に記載の伸縮自在ハンドル。
【請求項２２】
前記中間区画に対する前記遠位区画の位置を係止するように構成されている第２の移動制限機構をさらに備えている、請求項２１に記載の伸縮自在ハンドル。
【手続補正２】
【補正対象書類名】明細書
【補正対象項目名】０００３
【補正方法】変更
【補正の内容】
【０００３】
本発明は、それを通して縦方向に延在する、近位管腔を画定する近位区画であって、近位管腔は、その中に内視鏡的医療デバイスを受け取るためのサイズおよび形状を有している、近位区画と、近位区画の遠位部分内に受け取られる中間区画であって、中間区画は、近位区画の内径より小さい外径を有し、それを通して延在し、近位管腔へと開放する中間管腔を画定するＭ中間区画と、中間区画の遠位部分内に受け取られ、それを通して延在し、中間管腔へと開放する遠位区画であって、中間区画の内径より小さい外径を有する、遠位区画とを組み合わせて備え、中間区画が遠位管腔の軸に沿って、近位、中間、および遠位管腔を通して挿入される内視鏡的医療デバイスの移動を制限する第１の移動制限機構を含み、中間区画が、遠位本体部分の遠位端に取り付けられている内視鏡の前進および後退を制限するように構成されている第２の移動制限機構を含む医療デバイスのためのハンドルに関する。
本願明細書は、例えば、以下の項目も提供する。
（項目１）
医療デバイスのためのハンドルであって、前記ハンドルは、
近位区画であって、前記近位区画は、前記近位区画を通して縦方向に延在する近位管腔を画定し、前記近位管腔は、前記近位管腔の中に内視鏡的医療デバイスを受け取るためのサイズおよび形状を有している、近位区画と、
前記近位区画の遠位部分内に受け取られる中間区画であって、前記中間区画は、前記近位区画の内径より小さい外径を有し、前記中間区画を通して延在する中間管腔を画定し、前記中間管腔は、前記近位管腔に対して開いている、中間区画と、
前記中間区画の遠位部分内に受け取られる遠位区画であって、前記遠位区画は、前記遠位区画を通して延在する遠位管腔を画定し、前記遠位管腔は、前記中間管腔に対して開いており、前記遠位区画は、前記中間区画の内径より小さい外径を有している、遠位区画と
を備え、
前記中間区画は、前記遠位管腔の軸に沿って、前記近位、中間、および遠位管腔を通して挿入される内視鏡的医療デバイスの移動を制限する第１の移動制限機構を含み、
前記中間区画は、前記遠位本体部分の遠位端に取り付けられている内視鏡の前進および後退を制限するように構成されている第２の移動制限機構を含んでいる、
ハンドル。
（項目２）
前記第１の移動制限機構は、前記第１の移動制限機構の近位に位置する前記中間区画の一部のみが前記近位区画内に後退可能であるように、前記中間区画の標的部分の上方に摺動可能に位置付けられている、項目１に記載のハンドル。
（項目３）
前記第２の移動制限機構は、前記中間区画に対する前記遠位区画の位置を係止する、項目１に記載のハンドル。
（項目４）
前記内視鏡的医療デバイスは、針である、項目１に記載のハンドル。
（項目５）
前記針は、超音波信号を反響するように構成されている、項目４に記載のハンドル。
（項目６）
前記遠位部分は、アタッチメントを含み、前記アタッチメントは、前記ハンドルが搭載されている内視鏡の近位端における対応するアタッチメントを係合するためのサイズおよび形状を有している、項目１に記載のハンドル。
（項目７）
前記遠位部分は、前記内視鏡を螺着係合する、項目６に記載のハンドル。
（項目８）
前記遠位部分は、ルアーロックを介して、前記内視鏡を係合する、項目７に記載のハンドル。
（項目９）
前記遠位管腔は、前記遠位区画内に回転可能に搭載されている延長部材を通して延在し、前記延長部材は、前記内視鏡の作業チャネル中への挿入のためのサイズおよび形状を有し、前記延長部材は、前記延長部材を通して挿入される内視鏡的医療デバイスを前記作業チャネル中へ誘導し、前記延長部材と前記遠位区画との間の相対的回転は、前記遠位区画が前記遠位管腔を回転させることなく前記内視鏡に接続されることを可能にする、項目６に記載のハンドル。
（項目１０）
前記内視鏡的医療デバイスは、針である、項目９に記載のハンドル。
（項目１１）
前記針は、内視鏡的超音波針である、項目１０に記載のハンドル。
（項目１２）
前記近位区画は、前記遠位区画に回転可能に連結され、かつ、前記近位区画の中に搭載されている針に非回転可能に連結するように適合されていることにより、前記近位区画の回転は、前記遠位区画および前記遠位区画に連結されている内視鏡の作業チャネルの内側において、前記近位区画の中に挿入されている針を回転させる、項目６に記載のハンドル。
（項目１３）
前記近位管腔の一部は、前記近位管腔を通して挿入される針の形状に楔止され、前記針を前記近位区画に非回転可能に連結する、項目１２に記載のハンドル。
（項目１４）
前記中間区画は、調節ロックを備え、前記調節ロックは、第１の構成において、前記遠位区画が前記中間区画を通して縦方向に移動することにより、前記ハンドルの長さを所望の長さに調節することを可能にし、第２の構成において、前記中間および遠位区画を互に対して係止することにより、前記ハンドルの所望の長さを維持する、項目１に記載のハンドル。
（項目１５）
生体内で標的手技を行う方法であって、前記方法は、
針デバイスの近位端を内視鏡に取り付けるステップであって、前記針デバイスは、近位本体部分、中心本体部分、および遠位本体部分を有する細長い本体と、前記細長い本体部分を通して延在する管腔とを備え、前記針デバイスの遠位端は、内視鏡の近位端を係合するように構成されている、ステップと、
前記針デバイスを通して針を挿入するステップと、
前記近位本体部分を回転させ、前記管腔および前記針の回転を生じさせるステップと
を含み、
前記管腔は、前記管腔の回転がトルクを前記内視鏡に与えないように、前記中心本体部分および前記遠位本体部分に対して回転可能である、
方法。
（項目１６）
前記中心本体部分上に位置する作動機構を作動させ、前記中心本体部分に対する前記遠位本体部分の近位および遠位移動に影響を及ぼすステップをさらに含む、項目１５に記載の方法。
（項目１７）
生体内で手技を行う方法であって、前記方法は、
内視鏡的医療デバイスハンドルの近位端を内視鏡に取り付けるステップであって、前記ハンドルは、近位本体部分、中心本体部分、および遠位本体部分を有する細長い本体と、前記細長い本体部分を通して延在する管腔とを備え、前記ハンドルの遠位端は、内視鏡の近位端を係合するように構成されている、ステップと、
内視鏡的医療デバイスを前記ハンドルを通して挿入するステップと、
前記近位本体部分を回転させ、前記管腔および前記内視鏡的医療デバイスを回転させるステップと
を含み、
前記管腔は、前記管腔の回転がトルクを前記内視鏡に与えないように、前記中心本体部分および前記遠位本体部分に対して回転可能である、
方法。
（項目１８）
前記内視鏡的医療デバイスは、針である、項目１７に記載の方法。
（項目１９）
前記針は、内視鏡的超音波針である、項目１８に記載の方法。
（項目２０）
医療デバイスのための伸縮自在ハンドルであって、
近位区画であって、前記近位区画は、前記近位区画を通して縦方向に延在する近位管腔を画定し、前記近位管腔は、前記近位管腔の中に内視鏡的医療デバイスを受け取るためのサイズおよび形状を有している、近位区画と、
前記近位区画の遠位部分内に受け取られる中間区画であって、前記中間区画は、前記近位区画の内径より小さい外径を有し、前記中間区画を通して延在する中間管腔を画定し、前記中間管腔は、前記近位管腔に対して開いている、中間区画と、
前記中間区画の遠位部分内に受け取られる遠位区画であって、前記遠位区画は、前記遠位区画を通して延在する遠位管腔を画定し、前記遠位管腔は、前記中間管腔に対して開いており、前記遠位区画は、前記中間区画の内径より小さい外径を有している、遠位区画と
を備え、
前記中間区画は、前記近位区画中へおよび前記近位区画から伸縮自在に移動可能であり、
前記遠位区画は、前記中間区画中へおよび前記中間区画から伸縮自在に移動可能であり、
前記中間および遠位区画の近位および遠位移動は、前記近位、中間、および遠位管腔内に受け取られている内視鏡的医療デバイスに伝達されない、
伸縮自在ハンドル。
（項目２１）
前記近位区画中への前記中間区画の移動を制限する第１の移動制限機構をさらに備え、前記第１の移動制限機構は、前記中間区画の外側壁を摩擦係合するように構成されている、項目２０に記載の伸縮自在ハンドル。
（項目２２）
前記中間区画に対する前記遠位区画の位置を係止するように構成されている第２の移動制限機構をさらに備えている、項目２１に記載の伸縮自在ハンドル。